(57)【要約】  本明細書では、屋根の外板を屋根の支持構造から間隔を置いて配置し、それによって、屋根が気象要素を遮断し、光を受け入れ、有利な空気循環を可能にするデバイス、方法、およびシステムが提供される。一実施形態において、屋根にパネルをパネル同士の間隔を空けて配置するためのくさび形デバイスは、底面と、底面に対してある角度だけ傾斜した頂面と、頂面と底面を連結し、複数のリブと複数のネイルボックスとを含む一体的な支持構造とを含む。
2013534577.tif 000002
【特許請求の範囲】
【請求項１】
屋根にパネルをパネル同士の間隔を空けて配置するためのくさび形デバイスであって、
底面と、
底面に対して角度αだけ傾斜した頂面と、
前記頂面と前記底面を連結し、複数の支持リブと複数のネイルボックスとを備える一体的な支持構造と、
を備えることを特徴とするデバイス。
【請求項２】
前記角度αは、約１０°から約２５°の間であることを特徴とする請求項１に記載のデバイス。
【請求項３】
前記角度αは、水平に対する前記屋根の支持梁の角度θと同じであるかまたは実質的に同じであることを特徴とする請求項２に記載のデバイス。
【請求項４】
前記複数の支持リブの各々の底面は、前記デバイスの前記底面の少なくとも一部を形成することを特徴とする請求項１に記載のデバイス。
【請求項５】
少なくとも１つのネイルボックスが、前記デバイスの前記頂面から前記底面まで延びる中空のチューブを備えることを特徴とする請求項１に記載のデバイス。
【請求項６】
前記複数のネイルボックスの少なくとも１つは、フランジによって前記複数の支持リブの１つに連結されることを特徴とする請求項１に記載のデバイス。
【請求項７】
前記頂面には、締結具の頭部を受け入れる少なくとも１つのくぼみ領域が形成されていることを特徴とする請求項１に記載のデバイス。
【請求項８】
前記デバイスはポリマーを含むことを特徴とする請求項１に記載のデバイス。
【請求項９】
前記デバイスはポリプロピレンコポリマーを含むことを特徴とする請求項８に記載のデバイス。
【請求項１０】
尖った頂面を備えることを特徴とする請求項１に記載のデバイス。
【請求項１１】
屋根支持梁上に屋根パネルを設置する方法であって、
複数のくさび形のスペーサを１つまたは複数の屋根支持梁の頂面に締結するステップと、
１つまたは複数の屋根パネルの底面を前記スペーサに締結するステップと、
を含むことを特徴とする方法。
【請求項１２】
屋根パネルの底面を締結するステップは、屋根パネルの底面を、隣接する屋根支持梁上に締結されたスペーサに締結するステップを含むことを特徴とする請求項１１に記載の方法。
【請求項１３】
屋根パネルの底面を、隣接する屋根支持梁上に締結されたスペーサに締結するステップは、屋根パネルを地面に実質的に水平に設置するステップを含むことを特徴とする請求項１２に記載の方法。
【請求項１４】
スペーサを屋根支持梁の前記頂面に締結するステップは、屋根支持梁の前記頂面の上方にスペーサを位置させ、少なくとも１つの締結具を前記スペーサに打ち込むステップを含むことを特徴とする請求項１１に記載の方法。
【請求項１５】
屋根パネルの底面をスペーサに締結するステップは、少なくとも１つの締結具を、屋根パネルを通して、各スペーサの頂面と底面を連結する支持構造に打ち込むステップを含むことを特徴とする請求項１１に記載の方法。
【請求項１６】
垂直空間が互いに隣接する設置済みの屋根パネルを分離するように各屋根支持梁の前記頂面に複数のスペーサを締結し、空気および光が前記屋根を通過するのを可能にするステップを含むことを特徴とする請求項１１に記載の方法。
【請求項１７】
屋根パネルの底面をスペーサに締結するステップは、第１の屋根パネルの底面を隣接する第２の屋根パネルの前記頂面と重ね合わせるステップを含むことを特徴とする請求項１１に記載の方法。
【請求項１８】
屋根を構成するための屋根パネルスペーサシステムであって、
複数の支持梁と、
少なくともいくつかの前記支持梁に締結された複数のスペーサと、
前記複数のスペーサに締結された複数の屋根パネルと、
を備え、
各スペーサは、各屋根パネルを地面に実質的に水平に向け、
各スペーサは、互いに隣接する屋根パネル間に空間を形成し、空気および光が屋根を通過するのを可能にするように位置付けられ、
各スペーサは、互いに隣接する屋根パネル同士を重ね合わせ、雨およびその他の気象要素が前記屋根を通過するのを抑制するように位置付けられることを特徴とするシステム。
【請求項１９】
前記複数の屋根パネルの各々は、互いに隣接する支持梁上に配置された複数のスペーサに締結されることを特徴とする請求項１８に記載のシステム。
【発明の詳細な説明】
【技術分野】
【０００１】
関連出願の相互参照
本出願は、参照により全体が本明細書に組み込まれている、２０１０年６月２５日に出願された米国仮出願第６１／３９８４６１号の、米国特許第１１９（ｅ）条に基づく優先権を主張する。
【背景技術】
【０００２】
本発明の分野は、屋根ふき材に関し、より詳細には、屋根にパネルをパネル同士の間隔を空けて配置するための方法およびシステムに関する。
【０００３】
屋根は、空間または建物の最上部を覆い、空間または建物の内部を雨、雪、風、寒さ、熱、日光、およびその他の気象から保護する。多くの屋根は、気象に対するさらなる保護を実現するために勾配または傾斜があり、それによって、雨または雪は屋根の斜めの面を滑り落ちることができる。屋根は一般に、支持構造と、最上部の防水層であってもよい外板とを含む。屋根の支持構造は通常、木材、鋳鉄、または鋼のような強靭で剛性の高い材料の梁を含む。屋根の外側層は、木材、金属、プラスチック、竹などの植物、または他の適切な材料で構成されたパネルまたはボードを備えてもよい。
【発明の概要】
【発明が解決しようとする課題】
【０００４】
雨または雪のような要素に対して空間を遮蔽し、しかも空間に光を取り入れ、かつ空気を、屋根を通過して空間内に入るように自由に循環させるために、勾配がある屋根が望ましい場合がある。したがって、屋根が気象要素を遮蔽し、光を取り入れ、有利な空気循環を可能にするように屋根の支持構造に外板を効率的にかつ確実に取り付ける方法およびシステムが望ましく、そのような方法およびシステムは、屋根ふきシステムの設計において重要な課題である。
【課題を解決するための手段】
【０００５】
本発明のシステム、方法、およびデバイスの各々は、いくつかの態様を有し、それらの態様のうちで、単独でこのシステム、方法、および方法の望ましい属性を実現する態様はない。次に、本発明の範囲を限定せずに、本発明の顕著な特徴について簡単に説明する。この説明を検討した後、特に「発明を実施するための形態」という名称の節を読んだ後、本発明の特徴が他の屋根ふきシステムに勝る利点をどのようにもたらすかが理解されよう。
【０００６】
屋根にパネルをパネル同士の間隔を空けて配置するための方法およびデバイスが提供される。一実施形態において、屋根にパネルをパネル同士の間隔を空けて配置するためのくさび形デバイスは、底面と、底面に対して角度αだけ傾斜した頂面と、頂面と底面を連結する一体的な支持構造とを含む。支持構造は、複数の支持リブと複数のネイルボックスとを含む。
【０００７】
別の実施形態は、屋根支持梁上に屋根パネルを設置する方法を提供する。この方法は、複数のくさび形スペーサを１つまたは複数の屋根支持梁の頂面に締結するステップと、１つまたは複数の屋根パネルの底面をスペーサに締結するステップとを含む。
【０００８】
さらに別の実施形態では、屋根を構成するための屋根パネルスペーサシステムが提供される。このシステムは、複数の支持梁と、少なくともいくつかの支持梁に締結された複数のスペーサと、複数のスペーサに締結された複数の屋根パネルとを含む。各スペーサは、各屋根パネルを地面に実質的に水平に向ける。各スペーサは、互いに隣接する屋根パネル間に空間を形成し、空気および光が屋根を通過するのを可能にするように位置付けられる。各スペーサは、互いに隣接する屋根パネル同士を重ね合わせ、雨およびその他の気象要素が屋根を通過するのを抑制するようにも位置付けられる。
【図面の簡単な説明】
【０００９】
【図１Ａ】屋根パネルスペーサデバイスの一実施形態の上面斜視図である。
【図１Ｂ】図１Ａのデバイスの底面斜視図である。
【図１Ｃ】図１Ａのデバイスの底面図である。
【図２】屋根に使用されたときの図１Ａのデバイスを示す図である。
【図３】屋根に使用されたときの図１Ａのデバイスを示す図である。
【図４】屋根に使用されたときの図１Ａのデバイスを示す図である。
【図５】屋根に使用されたときの図１Ａのデバイスを示す図である。
【図６】屋根に使用されたときの図１Ａのデバイスを示す図である。
【図７】屋根に使用されたときの図１Ａのデバイスを示す図である。
【図８】図１Ａのデバイスの上面図である。
【図９Ａ】図１Ａのデバイスの側面図である。
【図９Ｂ】さらなる内部特徴を示す図１Ａのデバイスの側面図である。
【図１０Ａ】図１Ａのデバイスの背面図である。
【図１０Ｂ】さらなる内部特徴を示す図１Ａのデバイスの背面図である。
【図１１Ａ】屋根パネルスペーサデバイスの別の実施形態の底面斜視図である。
【図１１Ｂ】図１１Ａのデバイスの底面図である。
【図１１Ｃ】図１１Ｂの線１１Ｃ−１１Ｃに沿った図１１Ａのデバイスの断面図である。
【図１１Ｄ】図１１Ｂの線１１Ｄ−１１Ｄに沿った図１１Ａのデバイスの断面図である。
【図１２】屋根に使用されたときの図１１Ａのデバイスを示す図である。
【図１３】屋根に使用されたときの図１１Ａのデバイスを示す図である。
【図１４】屋根に使用されたときの図１１Ａのデバイスを示す図である。
【図１５】屋根に使用されたときの図１１Ａのデバイスを示す図である。
【発明を実施するための形態】
【００１０】
本明細書において説明するいかなる特徴または特徴の組合せも、そのような任意の組合せに含まれる特徴が互いに矛盾しないことが文脈、この説明、および当業者の知識から明らかであるならば、本発明の範囲内に含まれる。さらに、任意の特徴または特徴の組合せが本発明の任意の実施形態から特定的に除外されることがある。本発明を要約するために、本明細書では本発明のある態様、利点、および新規の特徴について説明する。もちろん、必ずしもすべてのそのような態様、利点、または特徴が本発明の任意の特定の実施形態に存在するとは限らないことを理解されたい。
【００１１】
本明細書において提示する実施形態は例示のためのものであり、限定のためのものではないことを理解されたい。以下の詳細な説明は、例示的な実施形態に関する説明であるが、本発明の趣旨および範囲内の実施形態のすべての変形例、代替例、および均等例を対象とするものと解釈されたい。
【００１２】
２面屋根用の屋根パネルスペーサ
図１Ａは、本発明による屋根パネルスペーサ１００の一実施形態の上面斜視図である。図１Ｂは、スペーサ１００の底面斜視図である。図１Ｃは、スペーサ１００の底面図である。スペーサ１００は概して、スペーサ１００のｘ軸に沿って測定される幅Ｗと、スペーサ１００のｙ軸に沿って測定される長さＬと、スペーサ１００のｚ軸に沿って測定される高さＨとを有する。スペーサ１００は、頂面１０２と、底面１０４と、側面１０６、１０８と、背面１１０と、前面１１２とを含む。
【００１３】
スペーサ１００の高さＨは、スペーサ１００に沿った様々な位置で測定されてもよい。たとえば、背面１１０でのスペーサ１００の高さはＨＢＡＣＫであり、一方、前面１１２でのスペーサ１００の高さはＨＦＲＯＮＴである。スペーサ１００の各実施形態はくさび形であってもよい。たとえば、頂面１０２は底面１０４に対して角度αだけ傾斜してもよい。さらに、底面１０４は背面１１０に対して角度βだけ傾斜してもよい。いくつかの態様において、頂面１０２は、背面１１０に対して９０°または約９０°の角度に向けられる。
【００１４】
スペーサ１００は、頂面１０２と底面１０４を連結する一体的な支持構造を含んでもよい。支持構造は複数の支持リブを含んでもよい。たとえば、スペーサ１００は、側面１０６、１０８間のスペーサ１００の幅Ｗに沿って延びる幅リブ１３０、１３２を含む。スペーサ１００は、背面１１０と前面１１２との間のスペーサ１００の長さＬに沿って延びる長さリブ１３４を備えてもよい。リブ１３０、１３２、１３４の底面は、スペーサ１００の底面１０４の全体を形成しても、あるいは一部を形成してもよい。
【００１５】
いくつかの態様において、支持構造は複数のネイルボックスも含む。たとえば、スペーサ１００は、以下に図８〜図１０Ｂを参照して詳しく説明するネイルボックス１５０、１５２、１５４、１５６を含む。ネイルボックスは、釘またはその他の締結具を受け入れるように構成されてもよい。ネイルボックス１５０、１５２、１５４、１５６のいくつかの実施形態は、頂面１０２から底面１０４まで延びる中空のチューブを備える。ネイルボックスは、それぞれフランジ１６０、１６２、１６４、１６６を介して幅リブ１３０、１３２に連結されてもよい。スペーサ１００は、長さリブ１３４に配置されたネイルボックス１６８を備えてもよい。他の構成も可能である。たとえば、いくつかの態様において、スペーサ１００は、幅リブ、長さリブ、ネイルボックス、および／またはフランジの１つまたは複数を備えなくてもよい。
【００１６】
図２〜図７は、屋根２６８に使用されたときの本発明によるスペーサの一実施形態を示す。次に図２を参照すると、一実施形態による第１のスペーサ２００は、第１の支持梁２７０と屋根パネルまたはボード２７５との間に位置する。支持梁２７０は、頂面２７２を含む。パネル２７５は、頂面２７６と底面２７８とを備える。第２のスペーサ２００も第２の支持梁２８０とパネル２７５との間に位置している。支持梁２７０、２８０は、屋根ふきシステムの支持構造の一部を備えてもよく、パネル２７５は、屋根ふきシステムの外板の一部を備えてもよい。
【００１７】
スペーサ２００の頂面２０２は、パネル２７５の底面２７８に隣接しかつ接触しており、一方、スペーサ２００の底面２０４は、支持梁２７０、２８０の頂面２７２に隣接しかつ接触している。他の構成も可能である。たとえば、別の実施形態において、スペーサ２００の頂面２０２は支持梁２７０、２８０に隣接してもよく、スペーサ２００の底面２０４はパネル２７５に隣接してもよい。
【００１８】
図３および図４は、使用時のスペーサ２００の各実施形態を示す。支持梁２７０、２８０は、屋根２６８の水平軸ｘに対して角度θＢＥＡＭだけ傾斜している。パネル２７５は、屋根２６８の水平軸ｘに対して角度θＰＡＮＥＬだけ傾斜している。上述のように、スペーサ２００は、パネル２７５と支持梁２７０、２８０との間に位置している。さらなるスペーサ２００（図３および図４には示されておらず、図５に示されている）がパネル２８２と支持梁２７０、２８０との間に位置している。スペーサ２００を使用して「ｎ」枚のパネルを支持梁２７０、２８０上に位置させてもよい。さらに、スペーサ２００を使用して、屋根２６８を構成するようにパネル２７５、２８２を「ｎ」本の支持梁上に位置させてもよい。
【００１９】
いくつかの実施形態において、スペーサ２００は支持梁２７０、２８０上に位置しており、したがって、パネル２７５、２８２は地面に対して水平であるかまたは実質的に水平であり、θＰＡＮＥＬは０°または約０°である。スペーサ２００は、垂直空間２８４によってパネル２７５、２８２が分離されるように支持梁２７０、２８０上に位置してもよい。図３に示す実施形態において、たとえば、屋根２６８上の互いに隣接するパネルの各々が垂直空間２８４によって分離されている。各スペーサ２００は、支持梁２７０に沿って同じ距離間隔または実質的に同じ距離間隔で位置させてもよく、したがって、互いに隣接するパネルを分離する垂直空間２８４は同じであるかまたは実質的に同じである。しかし、屋根２６８の互いに隣接するパネルの垂直空間２８４が屋根２６８全体にわたって同じまたは実質的に同じである必要はないことも理解されよう。垂直空間２８４は、有利なことに、空気を屋根２６８の下方の空間に進入させ、空間内を循環させることができる。有利なことに、垂直空間２８４は、光を屋根２６８の下方の空間に進入させることもできる。
【００２０】
いくつかの態様において、パネル２７５の頂面２７６とパネル２８２の底面２７８は領域２８６において重なり合う。互いに隣接するパネル２７５、２８２がこのように重なり合うと、有利なことに、雨およびその他の気象要素が垂直空間２８４を通過し屋根２６８の下方の空間に進入するのを制限することができる。たとえば、本明細書において説明するスペーサの実施形態は、建物の内部または屋根の下方の他の空間を小雨および／または水平方向の風を伴わない雨から遮蔽することができる。
【００２１】
当業者には、スペーサ２００を可変勾配または可変ピッチを有する屋根２６８と一緒に使用できることが理解されよう。たとえば、屋根２６８の水平軸ｘに対する支持梁２７０、２８０の勾配を小さくしてもよく（図２〜図７に示す梁角度よりも小さい梁角度θＢＥＡＭに相当する）、その場合、スペーサ２００の角度αを小さくしてもよい。同様に、屋根２６８の水平軸ｘに対する支持梁２７０、２８０の勾配を大きくしてもよく（図２〜図７に示す梁角度よりも大きい梁角度θＢＥＡＭに相当する）、そのような場合、それに応じてスペーサ２００の角度αを大きくしてもよい。もちろん、梁角度θＢＥＡＭがスペーサ２００の角度αと等しくなくてもよいことが理解されよう。
【００２２】
図５は、互いに隣接するパネル２７５、２８２に使用された複数のスペーサ２００を示す。たとえば、パネル２７５は、第１のスペーサ２００によって支持梁２７０から間隔を置いて配置され、第２のスペーサ２００によって支持梁２８０から間隔を置いて配置され、第３のスペーサ２００によって支持梁ｎＢＥＡＭから間隔を置いて配置されている。パネル２８２は、第４のスペーサ２００によって支持梁２７０から間隔を置いて配置され、第５のスペーサ２００によって支持梁２８０から間隔を置いて配置され、第６のスペーサ２００によって支持梁ｎＢＥＡＭから間隔を置いて配置されている。屋根２６８の各パネルを同様に支持梁から間隔を置いて配置してもよい。
【００２３】
図６は、本発明のいくつかの実施形態によって互いに隣接するパネル２７５、２８２間に設けることのできる垂直スペーサ２８４を示す。上記に図３および図４を参照して説明したように、屋根２６８の互いに隣接するパネル間の垂直空間２８４は、空気および光が屋根２６８を通して進入するのを可能にし、しかも雨などの気象要素が屋根２６８の下方の空間に進入するのを妨げる。
【００２４】
図７は、屋根２６８に使用された複数のスペーサ２００を示す。スペーサは、各パネルと各支持梁との間の界面に設けられている。上記に図３を参照して説明したように、第１のパネルの上面とより上方の第２のより高いパネルの底面は水平方向において重なり合っており、したがって、雨および垂直方向に落下する気象要素が、垂直空間２８４に進入し屋根２６８の下方の空間を貫通することはない。
【００２５】
有利なことに、スペーサ２００の各実施形態を使用して２面屋根構造を構成してもよい。たとえば、図２〜図９に示す屋根２６８は第１の面２８８と第２の面２９０とを備える。スペーサ２００は、第１の面２８８上で支持梁とパネルとの間に位置するとともに、第２の面２９０上で支持梁とパネルとの間に位置している。
【００２６】
図８は、スペーサ１００の上面図である。図９Ａは、内部の特徴を破線で示す、スペーサ１００の側面１０６の立面図である。図９Ｂは、幅リブ１３０、１３２のようなさらなる内部の特徴を示す側面１０６の立面図である。図１０Ａは、内部の部材を破線で示す、スペーサ１００の背面１１０の立面図である。図１０Ｂは、リブおよびネイルボックス部材を含む、さらなる内部の部材を示す背面１１０の立面図である。
【００２７】
上記に図１Ａ〜図１Ｃを参照して説明したように、スペーサ１００はネイルボックス１５０、１５２、１５４、１５６、および１６８を含んでもよい。一実施形態において、ネイルボックス１５０はくぼみ領域１５１を備え、ネイルボックス１５２はくぼみ領域１５３を備える。くぼみ領域１５１、１５３は、それぞれネイルボックス１５０、１５２に配置されたくぎまたは他の締結具の頭部を収容してもよい。スペーサ１００の他のネイルボックスがくぼみ領域を備えてもよく、スペーサ１００はネイルボックスの周りにくぼみ領域を備えなくてもよいことが理解されよう。
【００２８】
次に図９Ａを参照する。スペーサ１００の底面１０４は、頂面１０２に対して角度αだけ傾斜してもよい。角度αは約１０°から約２５°の間であってもよい。一実施形態において、角度αは、屋根の水平軸ｘに対する屋根の支持梁の角度θＢＥＡＭに対応する角度である。αがθＢＥＡＭに等しいとき、屋根のパネルの頂面２７６は、スペーサ上で実質的に水平方向に位置することができ、したがって、屋根の水平軸ｘに対するパネルの角度θＰＡＮＥＬは０°または約０°である。
【００２９】
さらに、底面１０４を背面１１０に対して角度βだけ傾斜させてもよい。角度βは、約８０°から約６５°の間であってもよい。図９Ａに示す実施形態では、角度αは約１８°であり、角度βは約７２°である。他の構成も可能である。たとえば、２０°の角度θＢＥＡＭに配置された支持梁を備える屋根の場合、角度αが２０°になり角度βが７０°になるようにスペーサ１００を修正してもよい。
【００３０】
図１０Ａおよび図１０Ｂは、スペーサ１００のさらなる図を示す。図１０Ａは、ネイルボックス１５０、１５２、１５４、１５６、１６８ならびにくぼみ領域１５１、１５３を破線で示している。図１０Ｂは、リブ１３４を破線で示している。
【００３１】
図１Ａは、スペーサ１００のある特定の実施形態の有利な寸法を示す。たとえば、スペーサ１００の頂面は約６インチ×約４インチであり、背面１１０は約４インチ×約２インチである。当業者には、他の寸法も可能であり、スペーサ１００の実施形態が図示のネイルボックスの数もしくは構成またはスペーサ１００の寸法に限定されないことが理解されよう。
【００３２】
３つ以上の面を有する屋根用の屋根パネルスペーサ
図１１Ａは、本発明による屋根パネルスペーサ１３００の一実施形態の底面斜視図である。図１１Ｂは、スペーサ１３００の底面図である。図１１Ｃは、図１１Ｂの線１１Ｃ−１１Ｃに沿った断面図である。図１１Ｄは、図１１Ｂの線１１Ｄ−１１Ｄに沿った断面図である。スペーサ１３００の各実施形態を使用して３つ以上の面を有する屋根ふき構造を構成してもよい。
【００３３】
スペーサ１３００は概して、スペーサ１３００のｘ軸に沿って測定される幅Ｗと、スペーサ１３００のｙ軸に沿って測定される長さＬと、スペーサ１３００のｚ軸に沿って測定される高さＨとを有する。スペーサ１３００は、第１の頂面１３０２Ａと、第２の頂面３０２Ｂと、底面１３０４と、側面１３０６、１３０８、１３１０、１３１１、１３１２、および１３１３とを含む。いくつかの態様において、スペーサ１３００は尖った頂面を含む。
【００３４】
スペーサ１３００の高さＨは、スペーサ１３００に沿った様々な位置で測定されてもよい。たとえば、側面１３１０、１３１１が交わるスペーサ１３００の高さはＨＭＡＸであってもよく、一方、側面１３０８、１３１１が交わるスペーサ１３００の高さはＨＭＩＤであってもよい。スペーサ１３００の各実施形態はくさび形であってもよい。たとえば、スペーサ１３００の頂面１３０２は、底面１３０４に対して角度αだけ傾斜してもよい。底面１３０４は、側面１３０８、１３１１の交差点に対して角度β１だけ傾斜してもよい。さらに、底面１３０４は、側面１３１０、１３１１の交差点に対して角度β２だけ傾斜してもよい。
【００３５】
スペーサ１３００は、頂面１３０２と底面１３０４を連結する一体的な支持構造を含んでもよい。支持構造は複数の支持リブを含んでもよい。たとえば、スペーサ１３００は、側面１３０６、１３０８間のスペーサ１３００の幅Ｗに沿って延びる幅リブ１３３０、１３３２を含んでもよい。スペーサ１３００は、側面１３１０、１３１１と側面１３１２、１３１３との間のスペーサ１３００の長さＬに沿って延びる長さリブ１３３４を含んでもよい。リブ１３３０、１３３２、１３３４の底面は、スペーサ１３００の底面１３０４の一部を形成してもよい。
【００３６】
いくつかの態様において、支持構造は複数のネイルボックスを含む。たとえば、スペーサ１３００は、ネイルボックス１３５０、１３５２、１３５４、１３５５、１３５６、および１３５７を備える。ネイルボックス１３５０、１３５２、１３５４、１３５５、１３５６、および１３５７のいくつかの実施形態は、頂面１３０２から底面１３０４まで延びる中空のチューブを備える。ネイルボックス１３５４、１３５５をフランジ１３６０および１３６２を介して幅リブ１３３１に連結してもよい。他の構成も可能である。たとえば、いくつかの態様において、スペーサ１３００は、幅リブ、長さリブ、ネイルボックス、および／またはフランジを備えなくてもよい。
【００３７】
いくつかの態様において、ネイルボックス１３５４はくぼみ領域１３５１を備え、ネイルボックス１３５５はくぼみ領域１３５３を備える（図示せず）。くぼみ領域１３５１、１３５３は、それぞれネイルボックス１３５４、１３５５に配置されたくぎの頭またはその他の締結具を収容してもよい。スペーサ１３００の他のネイルボックスがくぼみ領域を備えてもよく、スペーサ１３００がネイルボックスの周りにくぼみ領域を備えなくてもよいことが理解されよう。
【００３８】
図１２〜図１５は、３つ以上の面を有する屋根１４６８に使用された本発明によるスペーサのこの実施形態を示す。次に図１２を参照すると、一実施形態によるスペーサ１４００は、支持梁１４７０と第１の屋根パネルまたは屋根ボード１４７５との間に位置している。屋根１４６８は、支持梁１４７０と第２のパネル１４８２との間に位置する第２のスペーサ１４００を備えてもよい。支持梁１４７０は頂面１４７２を含む。パネル１４７５、１４８２はそれぞれ、頂面１４７６と底面１４７８とを含む。支持梁１４７０は、屋根ふきシステムの支持構造の一部を備えてもよく、パネル１４７５、１４８２は、屋根ふきシステムの外板の一部を備えてもよい。
【００３９】
スペーサ１４００の頂面１４０２は、パネル１４７５、１４８２の底面１４７８に隣接しかつ接触し、一方、スペーサ１４００の底面１４０４は、支持梁１４７０の頂面１４７２に隣接しかつ接触している。他の構成も可能である。
【００４０】
本発明の一実施形態において、スペーサ１４００は支持梁１４７０上に位置しており、それにより、垂直空間１４８４によってパネル１４７５、１４８２が分離されている。いくつかの態様において、屋根１４６８の上の互いに隣接する各パネルは垂直空間１４８４によって分離される。上記に図３を参照して説明したように、垂直空間１４８４は、有利なことに、空気を屋根１４６８の下方の空間に進入させ空間内を循環させることができる。有利なことに、垂直空間１４８４は、光を屋根１４６８の下方の空間に進入させることもできる。
【００４１】
いくつかの態様において、パネル１４７５の頂面１４７６とパネル１４８２の底面
１４７８が領域１４８６において重なり合う。互いに隣接するパネル１４７５とパネル１４８２とのこの重なり合いによって、有利なことに、雨およびその他の気象要素が空間１４８４を通過し屋根１４６８の下方の空間に進入するのが抑制される。
【００４２】
図１３〜図１５は、スペーサ１４００によって支持梁１４７０から間隔を置いて配置された複数のパネルを示す。パネル１４７５およびパネル１４９２は第１のスペーサ１４００（図示せず）上に位置し、パネル１４８２およびパネル１４９４は第２のスペーサ１４００（図示せず）上に位置している。支持梁１４７０上に第３のスペーサ１４００も位置しており、パネルを受け入れる準備が整っている。上述のように、有利なことにはスペーサ１４００は、パネル１４９２、１４９４を垂直空間１４８４によって分離するのを可能にする。
【００４３】
屋根スペーサの設置
本明細書において説明する屋根スペーサの各実施形態は、くぎなどの締結具を使用して設置されてもよい。一実施形態において、本発明によるスペーサをまず支持梁上に位置させる。スペーサの１つまたは複数のネイルボックスにくぎを打ち込む。たとえば、くぼみ領域を備えるネイルボックスにくぎを打ち込んでもよい。これらのくぎは最初、スペーサにさらなるくぎが打ち込まれるまで、支持梁に対するスペーサの動きを制限することができる。次に、スペーサの上方にパネルを位置させ、さらなるくぎをパネルを通してスペーサに打ち込む。いくつかの態様において、設置者には、まだくぎが入っていないネイルボックスの大まかな位置がわかっているが、空のネイルボックスの厳密な位置をパネルを通して見ることはできない。設置者は、空のネイルボックスの位置を推定し、くぎが空のネイルボックスの所またはその近くでスペーサに進入するようにくぎの狙いを定めることができる。
【００４４】
当業者には、本明細書において説明するスペーサの実施形態を設置するときにくぎをネイルボックスに厳密に位置付ける必要がないことが理解されよう。くぎおよびその他の締結具は、本明細書において説明するネイルボックス、リブ、および／またはフランジに打ち込まれた場合に、効果的にスペーサを支持梁に固定し、かつパネルをスペーサに固定することができる。スペーサを支持梁に固定するかまたはパネルをスペーサに固定するときに、スペーサ上に設けられた各ネイルボックスにくぎを打ち込む必要がないことも理解されよう。
【００４５】
屋根スペーサ用の材料
本明細書において説明するスペーサの各実施形態は、プラスチックまたは金属を含む任意の適切な材料で作られてもよい。一実施形態において、本発明によるスペーサは、ポリプロピレンコポリマーで作られる。いくつかの態様において、ポリプロピレンコポリマーのコモノマーはエチレンである。ポリプロピレンコポリマーは、高耐衝撃強度を有することを特徴とする。ポリプロピレンコポリマーはまた、未改質ポリプロピレンホモポリマーと比較して、破断伸びがわずかに大きく、したがって、より柔軟である。ポリプロピレンコポリマーの代表的な材料特性を以下のＴａｂｌｅ  １（表１）に示す。
【００４６】
【表１】
2013534577.tif 000003
【００４７】
本明細書において説明するスペーサをポリプロピレンコポリマーで作る必要はなく、ポリプロピレンコポリマーの材料特性と同様の材料特性を示す材料を含むがそれらに限定されない任意の適切な材料で作ってもよい。ポリプロピレンコポリマーで作られたスペーサは、有利なことに、砕けることも、あるいはくぎまたはその他の締結具がスペーサに打ち込まれたときに生じることがある構造上の他の悪影響も受けずに締結具を受け入れることができる。
【００４８】
本明細書において説明するスペーサの実施形態は、射出成形された１片のプラスチックから、スペーサが一体的になるように成形されてもよい。本明細書において説明するスペーサは、１個のスペーサを形成するように頂面、底面、背面、および一体的な支持構成のような別個の構成要素同士を連結することによって製造されてもよい。
【００４９】
上述の実施形態は一例として記載されており、本発明はこれらの例に限定されない。当業者には、上記の説明を検討したときに、開示された実施形態の複数の変形例および修正例が、相互に矛盾しない程度に構想されよう。さらに、当業者には、本明細書の開示を考慮して他の組合せ、省略、置換、および修正が明らかであろう。したがって、本発明は、開示された実施形態によって限定されるものではない。
【符号の説明】
【００５０】
１００  屋根パネルスペーサ
１０２  頂面
１０４  底面
１０６、１０８  側面
１１０  背面
１１２  前面
１３０、１３２  幅リブ
１３４  長さリブ
１５０、１５２、１５４、１５６  ネイルボックス
１６０、１６２、１６４、１６６  フランジ
２００  第１のスペーサ
２６８  屋根
２７０  第１の支持梁
２７２  頂面
２７５  屋根パネル
２７６  頂面
２７８  底面
２８０  第２の支持梁
２８２  パネル
２８４  垂直空間
２８６  領域
２８８  第１の面
２９０  第２の面
１３００  スペーサ
１３０２Ａ  第１の頂面
１３０２Ｂ  第２の頂面
１３０４  底面
１３０６、１３０８、１３１０、１３１１、１３１２、１３１３  側面
１３３０、１３３２  幅リブ
１３３４  長さリブ
１３５０、１３５２、１３５４、１３５５、１３５６、１３５７  ネイルボックス
１３５１、１３５３  くぼみ領域
１３６０、１３６２  フランジ
１４００  スペーサ
１４６８  屋根
１４７０  支持梁
１４７２  頂面
１４７５  第１の屋根パネル
１４７６  頂面
１４７８  底面
１４８２  第２のパネル
１４８４  垂直空間
１４９２、１４９４  パネル
Ｈ  高さ
ＨＢＡＣＫ  スペーサの背面での高さ
ＨＦＲＯＮＴ  スペーサの前面での高さ
ＨＭＡＸ、ＨＭＩＤ  スペーサの高さ
Ｌ  長さ
Ｗ  幅
α、β、β１、β２  角度
θＢＥＡＭ  支持梁の角度
θＰＡＮＥＬ  パネルの角度
【図１Ａ】
2013534577.tif 000004
【図１Ｂ】
2013534577.tif 000005
【図１Ｃ】
2013534577.tif 000006
【図２】
2013534577.tif 000007
【図３】
2013534577.tif 000008
【図４】
2013534577.tif 000009
【図５】
2013534577.tif 000010
【図６】
2013534577.tif 000011
【図７】
2013534577.tif 000012
【図８】
2013534577.tif 000013
【図９Ａ】
2013534577.tif 000014
【図９Ｂ】
2013534577.tif 000015
【図１０Ａ】
2013534577.tif 000016
【図１０Ｂ】
2013534577.tif 000017
【図１１Ａ】
2013534577.tif 000018
【図１１Ｂ】
2013534577.tif 000019
【図１１Ｃ】
2013534577.tif 000020
【図１１Ｄ】
2013534577.tif 000021
【図１２】
2013534577.tif 000022
【図１３】
2013534577.tif 000023
【図１４】
2013534577.tif 000024
【図１５】
2013534577.tif 000025
【国際調査報告】
2013534577.tif 000026